(57)【要約】【課題】様々な画素サイズの高機能センサパネルを低価格で実現する。【解決手段】放射線検出装置は、光を電気信号に変換するセンサ部２１と、センサ部２１で変換された電気信号を転送するＴＦＴ１１とを有する画素を複数有してなる。画素は、基板上に配置された複数のＴＦＴ１１と、複数のＴＦＴ１１上に配置され、複数のＴＦＴ素子に接続されたセンサ部２１とで構成される。複数のＴＦＴ１１上に１つのセンサ部２１が配置される。駆動配線１３および信号線１４は、センサ部２１毎に複数のＴＦＴ１１の同時駆動および同時読出しが可能となるように、複数ラインが引出し端子部１５に接続されている。これにより、同一のＴＦＴアレイ基板から画素サイズが異なる様々な種類のパネルを実現することができ、多品種パネルの共通化が達成でき、製造工程を簡略化することが可能となる。【選択図】図１
2007149749.tif 000002
【特許請求の範囲】
【請求項１】
基板上に、光を電気信号に変換する光電変換素子と、該光電変換素子で変換された電気信号を転送するスイッチング素子とを有する画素を複数有し、前記光電変換素子上に、入射する放射線を前記光電変換素子が感知可能な波長帯域の光に変換する波長変換体を備えた放射線検出装置において、
前記画素は、前記基板上に配置された複数のスイッチング素子と、前記複数のスイッチング素子上に配置され、複数のスイッチング素子に接続された光電変換素子とで構成されていることを特徴とする放射線検出装置。
【請求項２】
基板上に、入射する放射線を電気信号に変換する半導体素子と、該半導体素子で変換された電気信号を転送するためのスイッチング素子とを有する画素を複数有してなる放射線検出装置において、
前記画素は、前記基板上に配置された複数のスイッチング素子と、前記複数のスイッチング素子上に配置され、複数のスイッチング素子に接続された半導体素子とで構成されていることを特徴とする放射線検出装置。
【請求項３】
前記複数のスイッチング素子に接続される複数の駆動配線と、該複数の駆動配線に接続される駆動配線引出し端子部とをさらに有し、
前記駆動配線引出し端子部は、前記複数の駆動配線が画素毎に１端子に統合されるように形成されていることを特徴とする請求項１又は２記載の放射線検出装置。
【請求項４】
前記複数のスイッチング素子に接続される複数の信号線と、該複数の信号線が接続される信号線引出し端子部とをさらに有し、
前記信号線引出し端子部は、前記複数の信号線が画素毎に１端子に統合されるように形成されていることを特徴とする請求項１乃至３のいずれか１項に記載の放射線検出装置。
【請求項５】
請求項１乃至４のいずれか１項に記載の放射線検出装置と、
前記放射線検出装置からの信号を処理する信号処理手段と、
前記信号処理手段からの信号を記録するための記録手段と、
前記信号処理手段からの信号を表示するための表示手段と、
前記信号処理手段からの信号を伝送するための伝送処理手段と、
前記放射線を発生させるための放射線源とを備えたことを特徴とする放射線撮像システム。
【請求項６】
基板上に、光を電気信号に変換する光電変換素子と、該光電変換素子で変換された電気信号を転送するスイッチング素子とを有する画素を複数有してなる光電変換装置において、
前記画素は、前記基板上に配置された複数のスイッチング素子と、前記複数のスイッチング素子上に配置され、複数のスイッチング素子に接続された光電変換素子とで構成されていることを特徴とする光電変換装置。
【請求項７】
前記複数のスイッチング素子に接続される複数の駆動配線と、該複数の駆動配線に接続される駆動配線引出し端子部とをさらに有し、
前記駆動配線引出し端子部は、前記複数の駆動配線が画素毎に１端子に統合されるように形成されていることを特徴とする請求項６記載の光電変換装置。
【請求項８】
前記複数のスイッチング素子に接続される複数の信号線と、該複数の信号線が接続される信号線引出し端子部とをさらに有し、
前記信号線引出し端子部は、前記複数の信号線が画素毎に１端子に統合されるように形成されていることを特徴とする請求項６又は７に記載の光電変換装置。
【発明の詳細な説明】
【技術分野】
【０００１】
本発明は、可視光、赤外線等の光を電気信号に変換する光電変換装置、これを用いた放射線検出装置、および放射線撮像システムに係り、とくにＸ線、γ線などの放射線を検出するデジタル放射線検出装置に関する。
【背景技術】
【０００２】
デジタル放射線検出装置は、未だ用途が限られており、量産効果による低価格化が図れていない装置である。特に医療用途においては、放射被爆低減、即ち、特性向上の要望が強く、且つ、低価格化も望まれている。このことは、デジタル放射線検出装置が広く普及する上で必須の課題となっている。
【０００３】
このような事情を背景にして、特許文献１ではＭＩＳ（Metal Insulator Semiconductor）型センサパネルが提案され、低価格な放射線検出装置が実現されている。この装置では、ＴＦＴ（Thin Film Transistor：薄膜トランジスタ）素子とセンサ素子の層構成が同様なＭＩＳ構造であることから、製造工程における簡略化が図られている。特に、ＣＶＤ（Chemical Vapor Deposition）装置を共有可能にしたことで、低価格化を実現している。
【特許文献１】米国特許第６０７５２５６号明細書
【発明の開示】
【発明が解決しようとする課題】
【０００４】
しかしながら、今後更に、広くデジタル放射線検出装置を普及させるためには、現状の価格、センサ特性、仕様から低価格、高機能であり、且つ、様々な分野において様々な種類及び特性のセンサパネルを提供することが必要となる。また、広く普及することが、量産効果を誘導し、更に、低価格装置を実現できることにもなる。
【０００５】
例えば、医療分野においては、撮影部位として、胸部撮影と比較的高精細が必要とされる乳房撮影の差異、或いは、撮影用途として手術目的の動画像、または、一般撮影の静止画像など、求められる特性が異なり、その結果、画素サイズは様々となる。
【０００６】
本発明は、このような従来の事情を考慮してなされたもので、様々な画素サイズの高機能センサパネルを低価格で実現することを目的とする。
【課題を解決するための手段】
【０００７】
上記目的を達成するため、本発明に係る放射線検出装置は、基板上に、光を電気信号に変換する光電変換素子と、該光電変換素子で変換された電気信号を転送するスイッチング素子とを有する画素を複数有し、前記光電変換素子上に、入射する放射線を前記光電変換素子が感知可能な波長帯域の光に変換する波長変換体を備えた光電変換装置において、前記画素は、前記基板上に配置された複数のスイッチング素子と、前記複数のスイッチング素子上に配置され、複数のスイッチング素子に接続された光電変換素子とで構成されていることを特徴とする。ここで波長変換体は、入射するＸ線、γ線などの放射線を光電変換素子が感知可能な波長帯域の光に変換するものである。
【０００８】
また、本発明に係る放射線検出装置は、基板上に、入射する放射線を電気信号に変換する半導体素子と、該半導体素子で変換された電気信号を転送するためのスイッチング素子とを有する画素を複数有してなる放射線検出装置において、前記画素は、前記基板上に配置された複数のスイッチング素子と、前記複数のスイッチング素子上に配置され、複数のスイッチング素子に接続された半導体素子とで構成されていることを特徴とする。
【０００９】
本発明において、前記複数のスイッチング素子に接続される複数の駆動配線と、該複数の駆動配線に接続される駆動配線引出し端子部とをさらに有し、前記駆動配線引出し端子部は、前記複数の駆動配線が画素毎に１端子に統合されるように形成されていてもよい。前記複数のスイッチング素子に接続される複数の信号線と、該複数の信号線が接続される信号線引出し端子部とをさらに有し、前記信号線引出し端子部は、前記複数の信号線が画素毎に１端子に統合されるように形成されていてもよい。
【００１０】
本発明に係る放射線撮像システムは、上記いずれかに記載の放射線検出装置と、前記放射線検出装置からの信号を処理する信号処理手段と、前記信号処理手段からの信号を記録するための記録手段と、前記信号処理手段からの信号を表示するための表示手段と、前記信号処理手段からの信号を伝送するための伝送処理手段と、前記放射線を発生させるための放射線源とを備えたことを特徴とする。
【００１１】
本発明に係る光電変換装置は、基板上に、光を電気信号に変換する光電変換素子と、該光電変換素子で変換された電気信号を転送するスイッチング素子とを有する画素を複数有してなる光電変換装置において、前記画素は、前記基板上に配置された複数のスイッチング素子と、前記複数のスイッチング素子上に配置され、複数のスイッチング素子に接続された光電変換素子とで構成されていることを特徴とする。
【発明の効果】
【００１２】
本発明によれば、同一のＴＦＴアレイ基板などの複数のスイッチング素子が形成された基板から、画素サイズが異なる様々な種類のパネルを実現することが可能になる。これにより、多品種パネルの共通化が達成でき、製造工程を簡略化することが可能となる。その結果、様々な画素サイズの高機能センサパネルを低価格で実現することが可能になる。
【発明を実施するための最良の形態】
【００１３】
以下、本発明に係る放射線検出装置、放射線撮像システム、および光電変換装置を実施するための最良の形態について図面を参照して説明する。
【実施例１】
【００１４】
本発明の第１の実施例では、ＭＩＳ型センサを用いた放射線検出装置について述べる。本実施例の放射線検出装置は、放射線を波長変換体であるシンチレータ層（蛍光体層）で光に変換し、光電変換素子で電気信号に変換する間接変換型のものに適用している。この放射線検出装置で用いる光電変換装置は、駆動配線と信号線に接続されたスイッチング素子としてのＴＦＴ素子と、そのＴＦＴ素子に接続されたセンサ素子とから構成されている。この構成において、駆動配線と信号線の行列配置により決定される画素要素が配列され、１つの画素として形成されるセンサ素子が複数の画素要素に接続されている。画素要素に接続されている複数の信号線は、夫々の端子部に接続され、１端子に統合されている。複数の駆動配線も、夫々の端子部に接続され、１端子に統合されている。
【００１５】
図１に本実施例による放射線検出装置の模式的平面図を示す。図中、１１はスイッチング素子を形成するＴＦＴ部、１２は個別電極である。１３はＴＦＴ部１１のゲート電極に制御信号を送る駆動配線、１４はセンサ部２１からの信号をＴＦＴ部１１のソース・ドレインを介して読み出す信号線である。２１はセンサ素子を構成するセンサ部（図中、二点鎖線の輪郭で表示）である。２２は端子接続部、１５は端子接続部２２に設けられる駆動配線１３及び信号線１４の引出し端子部、２３は端子接続部２２に設けられる最終引出し端子開口部である。駆動配線１３の引出し端子部１５は、最終引出し端子開口部２３を介して駆動回路（非図示）に、また信号線１４の引出し端子部１５は、最終引出し端子開口部２３を介して読み出し回路（非図示）にそれぞれ接続される。
【００１６】
図中の例では、センサ部２１上に波長変換体としてのシンチレータ（非図示）が実装される。シンチレータの実装工程は、センサパネル上にシンチレータ（蛍光体）を積層させたカーボンやフィルムに貼り合わせる方式でも、センサパネル上に直接シンチレータを堆積させる方式でも、いずれでも適用可能である。この構成において、Ｘ線等の放射線は、シンチレータ（非図示）により光電変換素子で検出可能な波長の光に変換され、その光がセンサ部２１に入射する。入射光は、センサ部２１にて光電変換及び蓄積され、その信号がＴＦＴ部１１の転送動作により読み出し回路（非図示）に読み出される。
【００１７】
本実施例では、ＴＦＴ部１１から成る２×２の画素要素が単一画素として機能している。即ち、２×２の画素要素上に１個のセンサ部２１が配置されている。これに合わせて、ＴＦＴ部１１のゲート電極に接続される駆動配線１３及びＳＤ（ソース／ドレイン）電極に接続される信号線１４は、引出し接続部２２において、２ライン分が引出し端子部１５を介して互いに接続される。これにより、単一画素を構成するセンサ部２１毎に２×２の画素要素を成す複数のＴＦＴ部１１の同時駆動および同時読出しが可能な構造となっている。この接続構造は、ＴＦＴアレイ上、即ち、個別電極１２上に形成されるセンサ部２１を作成する段階で同時に形成される。また、本実施例では、２×２の画素要素を１画素として機能させているが、画素サイズはこれに限らず、例えば３×３の画素要素を１画素として機能させてもよく、１×１の画素要素を１画素として機能させてもよい。
【００１８】
図２は、図１中のＡ−Ａ部の模式的断面図を示す。
【００１９】
図２において、１０１はガラス基板、１０２はゲート電極、１０３はゲート絶縁膜、１０４はＴＦＴ半導体層、１０５はＴＦＴチャネル保護膜、１０６はオーミックコンタクト層、１０７はＴＦＴ  ＳＤ電極である。１０８は保護層、１０９は層間絶縁層、１１０は個別電極である。また、２０１はセンサ絶縁層、２０２はセンサ半導体層、２０３はキャリアブロッキング層、２０４はセンサ透明電極、２０５はセンサバイアス線、２０６は保護膜である。このように、ＴＦＴアレイ上に、層間絶縁層１０９を介して、センサ部を形成することにより、開口率を上げ、また信号線などの配線幅を広げてノイズを低減させ、センサ感度向上を達成することができる。
【００２０】
本実施例では、センサ半導体層２０２が複数の個別電極１１０にまたがって配置されている。これによれば、１つの画素要素が欠陥であっても、他の３つの画素要素で駆動でき、画素欠陥低減に効果があり、画像品位を向上させる利点もある。
【００２１】
図３は、図１中のＢ−Ｂ部の模式的断面図を示す。
【００２２】
図３において、１０１はガラス基板、１０３はゲート絶縁膜、１０８、２０６は保護膜、３０１は図２においてＴＦＴ  ＳＤ電極１０７と同時に形成される引出し電極、３０２は図２において個別電極１１０と同時に形成される引出し電極、３０３は図２においてセンサ透明電極２０４と同時に形成される端子接続部、３０４は最終引出し端子開口部である。
【００２３】
以上説明したように、本実施例では、例えば、２×２の画素要素が単一画素として機能させるため、２×２画素要素上に１個のセンサを配置し、引出し接続部においても、２ラインを引出し端子部で接続して同時駆動、同時読出しが可能な構造としている。この接続構造は、前述のようにＴＦＴアレイ上にセンサ部を作成する段階で同時に形成される。本実施例では、２×２の画素要素を１画素として機能させる場合を例示しているが、例えば３×３の画素要素を１画素として機能させたり、１×１の画素要素を１画素として機能させたりすることも可能である。
【００２４】
従って、本実施例によれば、同一のＴＦＴアレイ基板を用いて画素サイズが異なる様々な種類のパネルを実現することができる。これにより、多品種パネルの共通化が達成でき、製造工程を簡略化することが可能となる。その結果、低価格化と特性向上が同時に達成できる。
【００２５】
なお、図２で示したセンサ部を統合した構造、及び、図３で示した端子部を統合した構造は、どちらか一方の構造を採用することで十分に低価格化が達成できる。例えば、図２の構造は、開口率が向上し、複数ライン駆動など駆動方法を工夫すれば本質的な低価格化と高機能化が達成できる。また、図３の構造は、外付けのドライバー及びアンプＩＣの固執を削減できる利点がある。しかし、最大の効果を出すためには、両構造を採用することが望ましい。また本実施例では、ＭＩＳ型センサを例にとって述べているが、基本的には、ＰＩＮ型センサにおいても同様に本発明は有効に機能する。
【００２６】
なお、本実施例では、アモルファスシリコンＴＦＴとして、逆スタガ型（ボトムゲート型）のものを用いているが、スタガ型（トップゲート型）のものを用いてもよい。また、アモルファスシリコンＴＦＴの代わりにポリシリコンＴＦＴを用いてもよい。
【００２７】
また、本実施例では、スイッチング素子の例としてＴＦＴを用いた場合を説明しているが、本発明は必ずしもこれに限定されるものではない。例えば、スイッチング素子として、ダイオードを用いたものでもよい。
【実施例２】
【００２８】
本発明の第２の実施例では、ＬＣＤ（Liquid Crystal Display）パネルのＴＦＴアレイ基板を利用した放射線検出装置について説明する。
【００２９】
図４は本実施例の模式的平面図である。図中、１１はＴＦＴ部、１２は個別電極、１３は駆動配線、１４は信号線、１５は引出し端子部、２１はセンサ部（図中、二点鎖線の輪郭で表示）である。本実施例は３×３画素のセンサであり、１画素は３画素要素（ＬＣＤで用いるカラーフィルタの赤、緑、青の三原色パターンに対応する画素要素）より構成されている。
【００３０】
本実施例では、３個の画素要素が１画素を構成しているが、このとき、統合された１画素は正方形であり、個々の画素要素は複数等分された長方形である。即ち、ＴＦＴアレイまでは、液晶表示素子で用いられる画素構造であり、安価に大量生産されている構造であり、センサを低価格する上で利点の大きい画素構成である。勿論、個別電極１２からセンサと同様、統合することも考えられる。
【００３１】
従って、本実施例によれば、前述と同様の効果に加え、ＬＣＤで大量生産されるＴＦＴアレイ基板をそのまま利用して放射線検出装置を製造することができ、より一層の低価格化を実現することが可能になる。
【実施例３】
【００３２】
前述した各実施例では、入射される放射線をシンチレータで光に変換して光電変換素子で検出する間接変換型センサを用いた放射線検出装置を例示している。これに対し、本発明の第３の実施例では、入射される放射線を直接電気信号に変換するＣｄＴｅなどの直接型センサを用いた放射線検出装置について述べる。
【００３３】
図５は本実施例の模式的断面図である。図中、１０１はガラス基板、１０２はゲート電極、１０３はゲート絶縁膜、１０４はＴＦＴ半導体層、１０５はＴＦＴチャネル保護膜、１０６はオーミックコンタクト層、１０７はＴＦＴ  ＳＤ電極である。１０８は保護層、１０９は層間絶縁層、１１０は個別電極である。また、３０１は導電性樹脂接続部、３０２はセンサ部個別電極、３０３はＣｄＴｅ等直接変換材料（半導体素子）、３０４はセンサ共通電極である。本実施例は、ＴＦＴアレイの複数の画素要素がセンサアレイの１画素に接続されている。そのため、接続方法は、図５の様に一括であっても、個別であっても基本的に同様である。この構成において、Ｘ線等の放射線は、直接変換材料３０３で電気信号に変換され、ＴＦＴ部の転送動作により読み出し回路（非図示）に読み出される。
【００３４】
なお、本実施例では、直接型センサを構成する直接変換材料（半導体素子）としてＣｄＴｅを例示しているが、本発明にこれに限定されるものではなく、例えばａ−Ｓｅ（アモルファスセレン）材料などでもよい。
【００３５】
なお、上述した各実施例では、放射線検出装置を説明しているが、本発明は必ずしもこれに限らず、完全積層型の光電変換装置にも適用可能である。例えば、基板上に、光を電気信号に変換する光電変換素子と、該光電変換素子で変換された電気信号を転送するスイッチング素子とを有する画素を複数有してなる光電変換装置に用いることができる。この場合、画素は、基板上に配置された複数のスイッチング素子と、複数のスイッチング素子上に配置され、複数のスイッチング素子に接続された光電変換素子とで構成される。
【実施例４】
【００３６】
本発明の第４の実施例では、本発明に係る放射線検出装置を用いた放射線撮像システムについて説明する。
【００３７】
図６は本実施例の概要図である。図６において、Ｘ線チューブ６０５０で発生したＸ線６０６０は患者あるいは被験者６０６１の胸部６０６２を透過し、シンチレータを上部に実装した放射線検出装置６０４０に入射する。この入射したＸ線には患者６０６１の体内部の情報が含まれている。Ｘ線の入射に対応してシンチレータは発光し、これを光電変換して、電気的情報を得る。この情報はデジタルに変換され。イメージプロセッサ６０７０により画像処理され制御室のディスプレイ６０８０で観察できる。
【００３８】
また、この情報は電話回線６０９０等の伝送手段により遠隔地へ転送でき、別の場所のドクタールームなどディスプレイ６０８１に表示もしくは光ディスク等の保存手段に保存することができ、遠隔地の医師が診断することも可能である。またフィルムプロセッサ６１００によりフィルム６１１０に記録することもできる。
【産業上の利用可能性】
【００３９】
本発明は、完全積層型の光電変換装置及びこれを用いた放射線検出装置の用途に適用でき、とくに医療画像診断装置、非破壊検査装置、放射線を用いた分析装置などに応用できる。
【図面の簡単な説明】
【００４０】
【図１】本発明の第１の実施例に係る放射線検出装置の模式的平面図である。
【図２】図１のＡ−Ａ部の模式的断面図である。
【図３】図１のＢ−Ｂ部の模式的断面図である。
【図４】本発明の第２の実施例に係るＬＣＤパネルのＴＦＴアレイを利用した放射線検出装置の模式的平面図である。
【図５】本発明の第３の実施例に係る直接型放射線検出装置の模式的断面図である。
【図６】本発明の第３の実施例に係る放射線検出装置を用いた放射線撮像システムを説明する概要図である。
【符号の説明】
【００４１】
１１  ＴＦＴ部
１２  個別電極
１３  駆動配線
１４  信号線
１５  引出し端子部
２１  センサ部
２２  端子接続部
２３  最終引出し端子開口部
１０９  層間絶縁層
１１０  個別電極
２０１  センサ絶縁層
２０２  センサ半導体層
２０４  センサ透明電極
２０５  センサバイアス線
２０６  保護膜
３０１  導電性樹脂接続部
３０２  センサ部個別電極
３０３  ＣｄＴｅ等直接変換材料
３０４  センサ共通電極
【図１】
2007149749.tif 000003
【図２】
2007149749.tif 000004
【図３】
2007149749.tif 000005
【図４】
2007149749.tif 000006
【図５】
2007149749.tif 000007
【図６】
2007149749.tif 000008